【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のデバイスが、アップリンクデータ送信のためのアップリンクパイロットタイムスロット（ＵｐＰＴＳ）に関連付けられたデータ構造と前記ＵｐＰＴＳに関連付けられた復調基準信号構造とを識別することと、ここにおいて、前記ＵｐＰＴＳは、サブフレームの一部分中に発生する、
前記データ構造と前記復調基準信号構造とに関連付けられたリソースブロックの数をスケーリングすることに少なくとも部分的に基づいて、前記サブフレームの前記一部分中に発生する前記ＵｐＰＴＳ中の送信のために構成されたトランスポートブロックのサイズを決定することと、
前記データ構造と前記復調基準信号構造とに少なくとも部分的に基づいて第２のデバイスと通信することと
を備える、方法。
【請求項２】
i)  前記ＵｐＰＴＳに関連付けられた前記データ構造と前記復調基準信号構造とを識別することは、
前記ＵｐＰＴＳ中での送信のためにスケジューリングされる物理アップリンク共有チャネル（ＰＵＳＣＨ）のデータ構造と復調基準信号構造とを識別することを備える、
ii) 前記ＵｐＰＴＳは、アップリンクサブフレームより前に発生し、前記方法は、
非周期的チャネル品質情報（ＣＱＩ）、または非周期的サウンディング基準信号（ＳＲＳ）、またはそれらの組み合わせのうちの少なくとも１つの、前記ＵｐＰＴＳ中の送信に対する制限を識別すること、ここにおいて、前記制限は、前記アップリンクサブフレーム中の送信に少なくとも部分的に基づく、をさらに備える、または
iii) 前記サブフレームの送信電力をサブフレームレベルに、またはスロットレベルにスケーリングすることをさらに備える、
のうちの１つを備える、請求項１に記載の方法。
【請求項３】
i)  前記ＰＵＳＣＨの前記データ構造と前記復調基準信号構造とを識別することは、
前記ＵｐＰＴＳに前記サブフレームのスロットについての公称ＰＵＳＣＨ構成の変調シンボルのサブセットをマッピングすることを備える、
ii) 前記ＵｐＰＴＳに関連付けられた前記データ構造と前記復調基準信号構造とを識別することは、
前記ＵｐＰＴＳが６つのシンボル期間ＵｐＰＴＳを備えることを識別することと、
前記６つのシンボル期間ＵｐＰＴＳの時間的に第３のシンボル期間、または前記６つのシンボル期間ＵｐＰＴＳの時間的に第４のシンボル期間、または前記６つのシンボル期間ＵｐＰＴＳの時間的に第２のシンボル期間と時間的に第５のシンボル期間、または前記６つのシンボル期間ＵｐＰＴＳの２つのシンボル期間、または前記６つのシンボル期間ＵｐＰＴＳの少なくとも時間的に第１のシンボル期間のうちの１つにマッピングされる復調基準信号送信を識別することと、を備える、
iii) ネットワークアクセスデバイスから前記ＰＵＳＣＨの前記データ構造と前記復調基準信号構造とのインジケーションを受信すること、
ここにおいて、前記ＵｐＰＴＳ中での送信のためにスケジューリングされる前記ＰＵＳＣＨの前記データ構造と前記復調基準信号構造とは、前記ＰＵＳＣＨの前記データ構造と前記復調基準信号構造との前記受信されたインジケーションに少なくとも部分的に基づいて識別される、をさらに備える、
iv) ユーザ機器（ＵＥ）に前記ＰＵＳＣＨの前記識別されたデータ構造と前記復調基準信号構造とのインジケーションを提供することをさらに備える、
v) 前記ＵｐＰＴＳは、アップリンクサブフレームより前に発生する、
vi) 先に送信されるサブフレーム中で前記ＰＵＳＣＨをスケジューリングすること、前記先に送信されるサブフレームは、前記ＵｐＰＴＳを含む前記サブフレームより前に送信される、をさらに備える、
vii) 前記ＰＵＳＣＨについての別個のハイブリッド自動再送要求（ＨＡＲＱ）処理を構成することをさらに備える、
viii) 物理ダウンリンク制御チャネル（ＰＤＣＣＨ）、または拡張ＰＤＣＣＨ（ＥＰＤＣＣＨ）、または非同期アップリンクハイブリッド自動再送要求（ＨＡＲＱ）動作のうちの少なくとも１つを使用して前記ＰＵＳＣＨの再送信をスケジューリングすることをさらに備える、
ix) 前記ＵｐＰＴＳ中での送信のためにスケジューリングされる前記ＰＵＳＣＨとアップリンクサブフレーム中での送信のためにスケジューリングされる少なくとも１つの追加のＰＵＳＣＨとに対して同じダウンリンク制御情報（ＤＣＩ）サイズスケジューリングを割り振ることをさらに備える、
x) 複数のリソースブロック粒度に少なくとも部分的に基づいて前記ＰＵＳＣＨのリソースを割り振ることをさらに備える、
xi) 先に送信されるサブフレーム中での前記ＰＵＳＣＨのスケジューリングを受信すること、前記先に送信されるサブフレームは、前記ＵｐＰＴＳを含む前記サブフレームより前に受信される、をさらに備える、
xii) 前記ＰＵＳＣＨについての別個のハイブリッド自動再送要求（ＨＡＲＱ）処理の構成を受信することをさらに備える、
xiii) 物理ダウンリンク制御チャネル（ＰＤＣＣＨ）、または拡張ＰＤＣＣＨ（ＥＰＤＣＣＨ）、または非同期アップリンクハイブリッド自動再送要求（ＨＡＲＱ）動作のうちの少なくとも１つにおける前記ＰＵＳＣＨの再送信のスケジューリングを受信することをさらに備える、
xiv) 前記ＵｐＰＴＳ中での送信のためにスケジューリングされる前記ＰＵＳＣＨとアップリンクサブフレームのためにスケジューリングされる少なくとも１つの追加のＰＵＳＣＨとについての同じダウンリンク制御情報（ＤＣＩ）サイズスケジューリングを識別することをさらに備える、
xv) 複数のリソースブロック粒度に少なくとも部分的に基づく前記ＰＵＳＣＨのリソースの割り振りを受信することをさらに備える、
xvi) 前記ＵｐＰＴＳ中に送信されるサウンディング基準信号（ＳＲＳ）のタイミングを識別することをさらに備える、
xvii) 前記ＵｐＰＴＳ中に送信される物理アップリンク制御チャネル（ＰＵＣＣＨ）のタイミングを識別することと、
前記ＰＵＣＣＨ中で送信されるチャネル状態情報（ＣＳＩ）、スケジューリング要求（ＳＲ）、またはそれらの組み合わせのうちの少なくとも１つを識別することと、をさらに備える、
xviii) 前記ＵｐＰＴＳの２つよりも多くのシンボル期間中で物理ランダムアクセスチャネル（ＰＲＡＣＨ）リソースのタイミングを識別することをさらに備える、
xix) 前記ＵｐＰＴＳ中での送信のためにスケジューリングされる前記ＰＵＳＣＨの少なくとも第１のリソースと、少なくとも１つの追加のサブフレームのためにスケジューリングされる少なくとも１つの追加のＰＵＳＣＨの少なくとも第２のリソースとのバンドリングを識別することをさらに備える、
のうちの１つを備える、請求項２のオプションi)に記載の方法。
【請求項４】
変調シンボルの前記サブセットは、前記スロットについての前記公称ＰＵＳＣＨ構成の変調シンボルの時間的に最後のサブセット、または前記スロットについての前記公称ＰＵＳＣＨ構成の変調シンボルの時間的に第１のサブセットのうちの１つを備える、請求項３に記載の方法。
【請求項５】
前記ＰＵＳＣＨの前記データ構造と前記復調基準信号構造との前記インジケーションは、無線リソース制御（ＲＲＣ）構成、またはダウンリンク制御情報（ＤＣＩ）中の動的インジケーション、またはＤＣＩフォーマット、またはそれらの組み合わせのうちの少なくとも１つを備える、請求項３のオプションiii)に記載の方法。
【請求項６】
前記ＰＵＳＣＨの前記データ構造と前記復調基準信号構造とを識別することは、
単一のアップリンクサブフレームの第２の持続時間以下の第１の持続時間を有する送信時間間隔（ＴＴＩ）のために構成されたＰＵＳＣＨトランスポートブロックを識別すること、または
前記ＰＵＳＣＨの前記データ構造と前記復調基準信号構造とを識別することは、
前記ＵｐＰＴＳの少なくとも一部分と前記ＵｐＰＴＳに続く前記アップリンクサブフレームの少なくとも一部分とにわたる送信時間間隔（ＴＴＩ）のために構成されたＰＵＳＣＨトランスポートブロックを識別すること
を備える、請求項３のオプションv)に記載の方法。
【請求項７】
前記先に送信されるサブフレーム中で前記ＰＵＳＣＨをスケジューリングすることは、  前記ＰＵＳＣＨのためのアップリンク許可を前記先に送信されるサブフレーム中で送信すること
を備える、請求項３のオプションvi)に記載の方法。
【請求項８】
i)  前記ＰＵＳＣＨのための前記アップリンク許可は、前記先に送信されるサブフレーム中で送信される唯一のアップリンク許可である、
ii) 少なくとも１つの追加のサブフレーム中でスケジューリングされる少なくとも１つの追加のＰＵＳＣＨのための少なくとも１つの追加のアップリンク許可を前記先に送信されるサブフレーム中で送信することをさらに備える、
iii) 前記ＰＵＳＣＨのための前記アップリンク許可は、少なくとも１つの追加のサブフレーム中でスケジューリングされる少なくとも１つの追加のＰＵＳＣＨをスケジューリングする、
iv) 前記アップリンク許可は、物理ダウンリンク制御チャネル（ＰＤＣＣＨ）または拡張ＰＤＣＣＨ（ＥＰＤＣＣＨ）中で送信される、または
v) 前記ＰＵＳＣＨに対して別個の物理ハイブリッド自動再送要求インジケータチャネル（ＰＨＩＣＨ）リソースを割り振ることをさらに備える、
のうちの１つを備える、請求項７に記載の方法。
【請求項９】
前記ＰＵＳＣＨに対して別個の物理ハイブリッド自動再送要求インジケータチャネル（ＰＨＩＣＨ）リソースまたは共有ＰＨＩＣＨリソースを割り振ること、ここにおいて、前記共有ＰＨＩＣＨリソースは、前記少なくとも１つの追加のＰＵＳＣＨと共有される、
をさらに備える、請求項８のオプションii)に記載の方法。
【請求項１０】
前記先に送信されるサブフレーム中での前記ＰＵＳＣＨの前記スケジューリングを受信することは、
前記ＰＵＳＣＨのためのアップリンク許可を前記先に送信されるサブフレーム中で受信すること
を備える、請求項３のオプションxi)に記載の方法。
【請求項１１】
i)  前記ＰＵＳＣＨのための前記アップリンク許可は、前記先に送信されるサブフレーム中で受信される唯一のアップリンク許可である、
ii) 少なくとも１つの追加のサブフレーム中でスケジューリングされる少なくとも１つの追加のＰＵＳＣＨのための少なくとも１つの追加のアップリンク許可を前記先に送信されるサブフレーム中で受信することをさらに備える、
iii) 前記ＰＵＳＣＨのための前記アップリンク許可は、少なくとも１つの追加のサブフレーム中でスケジューリングされる少なくとも１つの追加のＰＵＳＣＨをスケジューリングする、
iv) 前記アップリンク許可は、物理ダウンリンク制御チャネル（ＰＤＣＣＨ）中で受信される、または
v) 前記ＰＵＳＣＨについての別個の物理ハイブリッド自動再送要求インジケータチャネル（ＰＨＩＣＨ）リソースを識別することをさらに備える、
のうちの１つを備える、請求項１０に記載の方法。
【請求項１２】
前記ＰＵＳＣＨについての別個の物理ハイブリッド自動再送要求インジケータチャネル（ＰＨＩＣＨ）リソースまたは共有ＰＨＩＣＨリソースを識別すること、ここにおいて、前記共有ＰＨＩＣＨリソースは、前記少なくとも１つの追加のＰＵＳＣＨと共有される、  をさらに備える、請求項１１のオプションii)に記載の方法。
【請求項１３】
前記ＰＵＣＣＨ中にハイブリッド自動再送要求（ＨＡＲＱ）情報を送信することを控えることを決定することをさらに備える、または
前記第１のリソースは、前記第２のリソースの第２のリソース粒度とは異なる第１のリソース粒度を有する、
請求項３のオプションxvii)に記載の方法。
【請求項１４】
ワイヤレス通信のための装置であって、
第１のデバイスが、アップリンクパイロットタイムスロット（ＵｐＰＴＳ）に関連付けられたデータ構造と前記ＵｐＰＴＳに関連付けられた復調基準信号構造とを識別するための手段と、ここにおいて、前記ＵｐＰＴＳは、サブフレームの一部分中に発生する、
前記データ構造と前記復調基準信号構造とに関連付けられたリソースブロックの数をスケーリングすることに少なくとも部分的に基づいて、前記サブフレームの前記一部分中に発生する前記ＵｐＰＴＳ中の送信のために構成されたトランスポートブロックのサイズを決定するための手段と、
前記トランスポートブロックの前記決定されたサイズに少なくとも部分的に基づいて第２のデバイスと通信するための手段と
を備える、装置。
【請求項１５】
ワイヤレス通信のためのコンピュータ実行可能コードを記憶する非一時的なコンピュータ可読媒体であって、前記コードは、
第１のデバイスが、アップリンクパイロットタイムスロット（ＵｐＰＴＳ）に関連付けられたデータ構造と前記ＵｐＰＴＳに関連付けられた復調基準信号構造とを識別することと、ここにおいて、前記ＵｐＰＴＳは、サブフレームの一部分中に発生する、
前記データ構造と前記復調基準信号構造とに関連付けられたリソースブロックの数をスケーリングすることに少なくとも部分的に基づいて、前記サブフレームの前記一部分中に発生する前記ＵｐＰＴＳ中の送信のために構成されたトランスポートブロックのサイズを決定することと、
前記トランスポートブロックの前記決定されたサイズに少なくとも部分的に基づいて第２のデバイスと通信することと
を行うようにプロセッサによって実行可能である、非一時的なコンピュータ可読媒体。
【手続補正２】
【補正対象書類名】明細書
【補正対象項目名】０１７９
【補正方法】変更
【補正の内容】
【０１７９】
[0198]本開示の先の説明は、当業者が本開示を製造または使用することを可能にするために提供される。本開示に対する様々な修正は、当業者にとって容易に明らかとなり、ここに定義された包括的な原理は、本開示の範囲から逸脱することなしに他の変形に適用されうる。このことから、本開示は、ここに説明された例および設計に限定されるべきではなく、ここに開示された原理および新規の技法と一致する最も広い範囲が付与されるべきである。
以下に本願の出願当初の特許請求の範囲に記載された発明を付記する。
［Ｃ１］  ワイヤレス通信のための方法であって、
第１のデバイスが、アップリンクデータ送信のためのアップリンクパイロットタイムスロット（ＵｐＰＴＳ）に関連付けられたデータ構造と前記ＵｐＰＴＳに関連付けられた復調基準信号構造とを識別することと、ここにおいて、前記ＵｐＰＴＳは、サブフレームの一部分中に発生する、
前記データ構造と前記復調基準信号構造とに少なくとも部分的に基づいて第２のデバイスと通信することと
を備える、方法。
［Ｃ２］  前記ＵｐＰＴＳに関連付けられた前記データ構造と前記復調基準信号構造とを識別することは、
前記ＵｐＰＴＳ中での送信のためにスケジューリングされる物理アップリンク共有チャネル（ＰＵＳＣＨ）のデータ構造と復調基準信号構造とを識別すること
を備える、Ｃ１に記載の方法。
［Ｃ３］  前記ＰＵＳＣＨの前記データ構造と前記復調基準信号構造とを識別することは、
前記ＵｐＰＴＳに前記サブフレームのスロットについての公称ＰＵＳＣＨ構成の変調シンボルのサブセットをマッピングすること
を備える、Ｃ２に記載の方法。
［Ｃ４］  変調シンボルの前記サブセットは、前記スロットについての前記公称ＰＵＳＣＨ構成の変調シンボルの時間的に最後のサブセット、または前記スロットについての前記公称ＰＵＳＣＨ構成の変調シンボルの時間的に第１のサブセットのうちの１つを備える、Ｃ３に記載の方法。
［Ｃ５］  前記ＵｐＰＴＳに関連付けられた前記データ構造と前記復調基準信号構造とを識別することは、
前記ＵｐＰＴＳが６つのシンボル期間ＵｐＰＴＳを備えることを識別することと、
前記６つのシンボル期間ＵｐＰＴＳの時間的に第３のシンボル期間、または前記６つのシンボル期間ＵｐＰＴＳの時間的に第４のシンボル期間、または前記６つのシンボル期間ＵｐＰＴＳの時間的に第２のシンボル期間と時間的に第５のシンボル期間、または前記６つのシンボル期間ＵｐＰＴＳの２つのシンボル期間、または前記６つのシンボル期間ＵｐＰＴＳの少なくとも時間的に第１のシンボル期間のうちの１つにマッピングされる復調基準信号送信を識別することと
を備える、Ｃ２に記載の方法。
［Ｃ６］  ネットワークアクセスデバイスから前記ＰＵＳＣＨの前記データ構造と前記復調基準信号構造とのインジケーションを受信すること、
ここにおいて、前記ＵｐＰＴＳ中での送信のためにスケジューリングされる前記ＰＵＳＣＨの前記データ構造と前記復調基準信号構造とは、前記ＰＵＳＣＨの前記データ構造と前記復調基準信号構造との前記受信されたインジケーションに少なくとも部分的に基づいて識別される、
をさらに備える、Ｃ２に記載の方法。
［Ｃ７］  前記ＰＵＳＣＨの前記データ構造と前記復調基準信号構造との前記インジケーションは、無線リソース制御（ＲＲＣ）構成、またはダウンリンク制御情報（ＤＣＩ）中の動的インジケーション、またはＤＣＩフォーマット、またはそれらの組み合わせのうちの少なくとも１つを備える、Ｃ６に記載の方法。
［Ｃ８］  ユーザ機器（ＵＥ）に前記ＰＵＳＣＨの前記識別されたデータ構造と前記復調基準信号構造とのインジケーションを提供すること
をさらに備える、Ｃ２に記載の方法。
［Ｃ９］  前記ＵｐＰＴＳは、アップリンクサブフレームより前に発生する、Ｃ２に記載の方法。
［Ｃ１０］  前記ＰＵＳＣＨの前記データ構造と前記復調基準信号構造とを識別することは、
単一のアップリンクサブフレームの第２の持続時間以下の第１の持続時間を有する送信時間間隔（ＴＴＩ）のために構成されたＰＵＳＣＨトランスポートブロックを識別すること
を備える、Ｃ９に記載の方法。
［Ｃ１１］  前記ＰＵＳＣＨの前記データ構造と前記復調基準信号構造とを識別することは、
前記ＵｐＰＴＳの少なくとも一部分と前記ＵｐＰＴＳに続く前記アップリンクサブフレームの少なくとも一部分とにわたる送信時間間隔（ＴＴＩ）のために構成されたＰＵＳＣＨトランスポートブロックを識別すること
を備える、Ｃ９に記載の方法。
［Ｃ１２］  先に送信されるサブフレーム中で前記ＰＵＳＣＨをスケジューリングすること、前記先に送信されるサブフレームは、前記ＵｐＰＴＳを含む前記サブフレームより前に送信される、
をさらに備える、Ｃ２に記載の方法。
［Ｃ１３］  前記先に送信されるサブフレーム中で前記ＰＵＳＣＨをスケジューリングすることは、  前記ＰＵＳＣＨのためのアップリンク許可を前記先に送信されるサブフレーム中で送信すること
を備える、Ｃ１２に記載の方法。
［Ｃ１４］  前記ＰＵＳＣＨのための前記アップリンク許可は、前記先に送信されるサブフレーム中で送信される唯一のアップリンク許可である、Ｃ１３に記載の方法。
［Ｃ１５］  少なくとも１つの追加のサブフレーム中でスケジューリングされる少なくとも１つの追加のＰＵＳＣＨのための少なくとも１つの追加のアップリンク許可を前記先に送信されるサブフレーム中で送信すること
をさらに備える、Ｃ１３に記載の方法。
［Ｃ１６］  前記ＰＵＳＣＨに対して別個の物理ハイブリッド自動再送要求インジケータチャネル（ＰＨＩＣＨ）リソースまたは共有ＰＨＩＣＨリソースを割り振ること、ここにおいて、前記共有ＰＨＩＣＨリソースは、前記少なくとも１つの追加のＰＵＳＣＨと共有される、  をさらに備える、Ｃ１５に記載の方法。
［Ｃ１７］  前記ＰＵＳＣＨのための前記アップリンク許可は、少なくとも１つの追加のサブフレーム中でスケジューリングされる少なくとも１つの追加のＰＵＳＣＨをスケジューリングする、Ｃ１３に記載の方法。
［Ｃ１８］  前記アップリンク許可は、物理ダウンリンク制御チャネル（ＰＤＣＣＨ）または拡張ＰＤＣＣＨ（ＥＰＤＣＣＨ）中で送信される、Ｃ１３に記載の方法。
［Ｃ１９］  前記ＰＵＳＣＨに対して別個の物理ハイブリッド自動再送要求インジケータチャネル（ＰＨＩＣＨ）リソースを割り振ること
をさらに備える、Ｃ１３に記載の方法。
［Ｃ２０］  前記ＰＵＳＣＨについての別個のハイブリッド自動再送要求（ＨＡＲＱ）処理を構成すること
をさらに備える、Ｃ２に記載の方法。
［Ｃ２１］  物理ダウンリンク制御チャネル（ＰＤＣＣＨ）、または拡張ＰＤＣＣＨ（ＥＰＤＣＣＨ）、または非同期アップリンクハイブリッド自動再送要求（ＨＡＲＱ）動作のうちの少なくとも１つを使用して前記ＰＵＳＣＨの再送信をスケジューリングすること
をさらに備える、Ｃ２に記載の方法。
［Ｃ２２］  前記ＵｐＰＴＳ中での送信のためにスケジューリングされる前記ＰＵＳＣＨとアップリンクサブフレーム中での送信のためにスケジューリングされる少なくとも１つの追加のＰＵＳＣＨとに対して同じダウンリンク制御情報（ＤＣＩ）サイズスケジューリングを割り振ること
をさらに備える、Ｃ２に記載の方法。
［Ｃ２３］  複数のリソースブロック粒度に少なくとも部分的に基づいて前記ＰＵＳＣＨのリソースを割り振ること
をさらに備える、Ｃ２に記載の方法。
［Ｃ２４］  先に送信されるサブフレーム中での前記ＰＵＳＣＨのスケジューリングを受信すること、前記先に送信されるサブフレームは、前記ＵｐＰＴＳを含む前記サブフレームより前に受信される、
をさらに備える、Ｃ２に記載の方法。
［Ｃ２５］  前記先に送信されるサブフレーム中での前記ＰＵＳＣＨの前記スケジューリングを受信することは、
前記ＰＵＳＣＨのためのアップリンク許可を前記先に送信されるサブフレーム中で受信すること
を備える、Ｃ２４に記載の方法。
［Ｃ２６］  前記ＰＵＳＣＨのための前記アップリンク許可は、前記先に送信されるサブフレーム中で受信される唯一のアップリンク許可である、Ｃ２５に記載の方法。
［Ｃ２７］  少なくとも１つの追加のサブフレーム中でスケジューリングされる少なくとも１つの追加のＰＵＳＣＨのための少なくとも１つの追加のアップリンク許可を前記先に送信されるサブフレーム中で受信すること
をさらに備える、Ｃ２５に記載の方法。
［Ｃ２８］  前記ＰＵＳＣＨについての別個の物理ハイブリッド自動再送要求インジケータチャネル（ＰＨＩＣＨ）リソースまたは共有ＰＨＩＣＨリソースを識別すること、ここにおいて、前記共有ＰＨＩＣＨリソースは、前記少なくとも１つの追加のＰＵＳＣＨと共有される、  をさらに備える、Ｃ２７に記載の方法。
［Ｃ２９］  前記ＰＵＳＣＨのための前記アップリンク許可は、少なくとも１つの追加のサブフレーム中でスケジューリングされる少なくとも１つの追加のＰＵＳＣＨをスケジューリングする、Ｃ２５に記載の方法。
［Ｃ３０］  前記アップリンク許可は、物理ダウンリンク制御チャネル（ＰＤＣＣＨ）中で受信される、Ｃ２５に記載の方法。
［Ｃ３１］  前記ＰＵＳＣＨについての別個の物理ハイブリッド自動再送要求インジケータチャネル（ＰＨＩＣＨ）リソースを識別すること
をさらに備える、Ｃ２５に記載の方法。
［Ｃ３２］  前記ＰＵＳＣＨについての別個のハイブリッド自動再送要求（ＨＡＲＱ）処理の構成を受信すること
をさらに備える、Ｃ２に記載の方法。
［Ｃ３３］  物理ダウンリンク制御チャネル（ＰＤＣＣＨ）、または拡張ＰＤＣＣＨ（ＥＰＤＣＣＨ）、または非同期アップリンクハイブリッド自動再送要求（ＨＡＲＱ）動作のうちの少なくとも１つにおける前記ＰＵＳＣＨの再送信のスケジューリングを受信すること
をさらに備える、Ｃ２に記載の方法。
［Ｃ３４］  前記ＵｐＰＴＳ中での送信のためにスケジューリングされる前記ＰＵＳＣＨとアップリンクサブフレームのためにスケジューリングされる少なくとも１つの追加のＰＵＳＣＨとについての同じダウンリンク制御情報（ＤＣＩ）サイズスケジューリングを識別すること  をさらに備える、Ｃ２に記載の方法。
［Ｃ３５］  複数のリソースブロック粒度に少なくとも部分的に基づく前記ＰＵＳＣＨのリソースの割り振りを受信すること
をさらに備える、Ｃ２に記載の方法。
［Ｃ３６］  前記ＵｐＰＴＳ中に送信されるサウンディング基準信号（ＳＲＳ）のタイミングを識別すること
をさらに備える、Ｃ２に記載の方法。
［Ｃ３７］  前記ＵｐＰＴＳ中に送信される物理アップリンク制御チャネル（ＰＵＣＣＨ）のタイミングを識別することと、
前記ＰＵＣＣＨ中で送信されるチャネル状態情報（ＣＳＩ）、スケジューリング要求（ＳＲ）、またはそれらの組み合わせのうちの少なくとも１つを識別することと
をさらに備える、Ｃ２に記載の方法。
［Ｃ３８］  前記ＰＵＣＣＨ中にハイブリッド自動再送要求（ＨＡＲＱ）情報を送信することを控えることを決定すること
をさらに備える、Ｃ３７に記載の方法。
［Ｃ３９］  前記ＵｐＰＴＳの２つよりも多くのシンボル期間中で物理ランダムアクセスチャネル（ＰＲＡＣＨ）リソースのタイミングを識別すること
をさらに備える、Ｃ２に記載の方法。
［Ｃ４０］  前記ＵｐＰＴＳ中での送信のためにスケジューリングされる前記ＰＵＳＣＨの少なくとも第１のリソースと、少なくとも１つの追加のサブフレームのためにスケジューリングされる少なくとも１つの追加のＰＵＳＣＨの少なくとも第２のリソースとのバンドリングを識別すること
をさらに備える、Ｃ２に記載の方法。
［Ｃ４１］  前記第１のリソースは、前記第２のリソースの第２のリソース粒度とは異なる第１のリソース粒度を有する、Ｃ４０に記載の方法。
［Ｃ４２］  前記ＵｐＰＴＳは、アップリンクサブフレームより前に発生し、前記方法は、
非周期的チャネル品質情報（ＣＱＩ）、または非周期的サウンディング基準信号（ＳＲＳ）、またはそれらの組み合わせのうちの少なくとも１つの、前記ＵｐＰＴＳ中の送信に対する制限を識別すること、ここにおいて、前記制限は、前記アップリンクサブフレーム中の送信に少なくとも部分的に基づく、
をさらに備える、Ｃ１に記載の方法。
［Ｃ４３］  前記サブフレームの送信電力をサブフレームレベルに、またはスロットレベルにスケーリングすること
をさらに備える、Ｃ１に記載の方法。
［Ｃ４４］  ワイヤレス通信のための装置であって、
第１のデバイスが、アップリンクパイロットタイムスロット（ＵｐＰＴＳ）に関連付けられたデータ構造と前記ＵｐＰＴＳに関連付けられた復調基準信号構造とを識別するための手段と、ここにおいて、前記ＵｐＰＴＳは、サブフレームの一部分中に発生する、
前記データ構造と前記復調基準信号構造とに少なくとも部分的に基づいて第２のデバイスと通信するための手段と
を備える、装置。
［Ｃ４５］  前記ＵｐＰＴＳに関連付けられた前記データ構造と前記復調基準信号構造とを前記識別するための手段は、
前記ＵｐＰＴＳ中での送信のためにスケジューリングされる物理アップリンク共有チャネル（ＰＵＳＣＨ）のデータ構造と復調基準信号構造とを識別するための手段
を備える、Ｃ４４に記載の装置。
［Ｃ４６］  前記ＰＵＳＣＨの前記データ構造と前記復調基準信号構造とを前記識別するための手段は、
前記ＵｐＰＴＳに前記サブフレームのスロットについての公称ＰＵＳＣＨ構成の変調シンボルのサブセットをマッピングするための手段
を備える、Ｃ４５に記載の装置。
［Ｃ４７］  変調シンボルの前記サブセットは、前記スロットについての前記公称ＰＵＳＣＨ構成の変調シンボルの時間的に最後のサブセット、または前記スロットについての前記公称ＰＵＳＣＨ構成の変調シンボルの時間的に第１のサブセットのうちの１つを備える、Ｃ４６に記載の装置。
［Ｃ４８］  ＵｐＰＴＳに関連付けられた前記データ構造と前記復調基準信号構造とを前記識別するための手段は、
前記ＵｐＰＴＳが６つのシンボル期間ＵｐＰＴＳを備えることを識別するための手段と、
前記６つのシンボル期間ＵｐＰＴＳの時間的に第３のシンボル期間、または前記６つのシンボル期間ＵｐＰＴＳの時間的に第４のシンボル期間、または前記６つのシンボル期間ＵｐＰＴＳの時間的に第２のシンボル期間と時間的に第５のシンボル期間、または前記６つのシンボル期間ＵｐＰＴＳの２つのシンボル期間、または前記６つのシンボル期間ＵｐＰＴＳの少なくとも時間的に第１のシンボル期間のうちの１つにマッピングされる復調基準信号送信を識別するための手段と
を備える、Ｃ４５に記載の装置。
［Ｃ４９］  ネットワークアクセスデバイスから前記ＰＵＳＣＨの前記データ構造と前記復調基準信号構造とのインジケーションを受信するための手段、
ここにおいて、前記ＵｐＰＴＳ中での送信のためにスケジューリングされる前記ＰＵＳＣＨの前記データ構造と前記復調基準信号構造とは、前記ＰＵＳＣＨの前記データ構造と前記復調基準信号構造との前記受信されたインジケーションに少なくとも部分的に基づいて識別される、
をさらに備える、Ｃ４５に記載の装置。
［Ｃ５０］  前記ＰＵＳＣＨの前記データ構造と前記復調基準信号構造との前記インジケーションは、無線リソース制御（ＲＲＣ）構成、またはダウンリンク制御情報（ＤＣＩ）中の動的インジケーション、またはＤＣＩフォーマット、またはそれらの組み合わせのうちの少なくとも１つを備える、Ｃ４９に記載の装置。
［Ｃ５１］  ユーザ機器（ＵＥ）に前記ＰＵＳＣＨの前記識別されたデータ構造と前記復調基準信号構造とのインジケーションを提供するための手段
をさらに備える、Ｃ４５に記載の装置。
［Ｃ５２］  前記ＵｐＰＴＳは、アップリンクサブフレームより前に発生する、Ｃ４５に記載の装置。
［Ｃ５３］  前記ＰＵＳＣＨの前記データ構造と前記復調基準信号構造とを前記識別するための手段は、
単一のアップリンクサブフレームの第２の持続時間以下の第１の持続時間を有する送信時間間隔（ＴＴＩ）のために構成されたＰＵＳＣＨトランスポートブロックを識別するための手段
を備える、Ｃ５２に記載の装置。
［Ｃ５４］  前記ＰＵＳＣＨの前記データ構造と前記復調基準信号構造とを前記識別するための手段は、
前記ＵｐＰＴＳの少なくとも一部分と前記ＵｐＰＴＳに続く前記アップリンクサブフレームの少なくとも一部分とにわたる送信時間間隔（ＴＴＩ）のために構成されたＰＵＳＣＨトランスポートブロックを識別するための手段
を備える、Ｃ５２に記載の装置。
［Ｃ５５］  先に送信されるサブフレーム中で前記ＰＵＳＣＨをスケジューリングするための手段、前記先に送信されるサブフレームは、前記ＵｐＰＴＳを含む前記サブフレームより前に送信される、
をさらに備える、Ｃ４５に記載の装置。
［Ｃ５６］  前記先に送信されるサブフレーム中で前記ＰＵＳＣＨを前記スケジューリングするための手段は、
前記ＰＵＳＣＨのためのアップリンク許可を前記先に送信されるサブフレーム中で送信するための手段
を備える、Ｃ５５に記載の装置。
［Ｃ５７］  前記ＰＵＳＣＨのための前記アップリンク許可は、前記先に送信されるサブフレーム中で送信される唯一のアップリンク許可である、Ｃ５６に記載の装置。
［Ｃ５８］  少なくとも１つの追加のサブフレーム中でスケジューリングされる少なくとも１つの追加のＰＵＳＣＨのための少なくとも１つの追加のアップリンク許可を前記先に送信されるサブフレーム中で送信するための手段
をさらに備える、Ｃ５６に記載の装置。
［Ｃ５９］  前記ＰＵＳＣＨに対して別個の物理ハイブリッド自動再送要求インジケータチャネル（ＰＨＩＣＨ）リソースまたは共有ＰＨＩＣＨリソースを割り振るための手段、ここにおいて、前記共有ＰＨＩＣＨリソースは、前記少なくとも１つの追加のＰＵＳＣＨと共有される、
をさらに備える、Ｃ５８に記載の装置。
［Ｃ６０］  前記ＰＵＳＣＨのための前記アップリンク許可は、少なくとも１つの追加のサブフレーム中でスケジューリングされる少なくとも１つの追加のＰＵＳＣＨをスケジューリングする、Ｃ５６に記載の装置。
［Ｃ６１］  前記アップリンク許可は、物理ダウンリンク制御チャネル（ＰＤＣＣＨ）または拡張ＰＤＣＣＨ（ＥＰＤＣＣＨ）中で送信される、Ｃ５６に記載の装置。
［Ｃ６２］  前記ＰＵＳＣＨに対して別個の物理ハイブリッド自動再送要求インジケータチャネル（ＰＨＩＣＨ）リソースを割り振るための手段
をさらに備える、Ｃ５６に記載の装置。
［Ｃ６３］  前記ＰＵＳＣＨについての別個のハイブリッド自動再送要求（ＨＡＲＱ）処理を構成するための手段
をさらに備える、Ｃ４５に記載の装置。
［Ｃ６４］  物理ダウンリンク制御チャネル（ＰＤＣＣＨ）、または拡張ＰＤＣＣＨ（ＥＰＤＣＣＨ）、または非同期アップリンクハイブリッド自動再送要求（ＨＡＲＱ）動作のうちの少なくとも１つを使用して前記ＰＵＳＣＨの再送信をスケジューリングするための手段
をさらに備える、Ｃ４５に記載の装置。
［Ｃ６５］  前記ＵｐＰＴＳ中での送信のためにスケジューリングされる前記ＰＵＳＣＨとアップリンクサブフレーム中での送信のためにスケジューリングされる少なくとも１つの追加のＰＵＳＣＨとに対して同じダウンリンク制御情報（ＤＣＩ）サイズスケジューリングを割り振るための手段
をさらに備える、Ｃ４５に記載の装置。
［Ｃ６６］  複数のリソースブロック粒度に少なくとも部分的に基づいて前記ＰＵＳＣＨのリソースを割り振るための手段
をさらに備える、Ｃ４５に記載の装置。
［Ｃ６７］  先に送信されるサブフレーム中での前記ＰＵＳＣＨのスケジューリングを受信するための手段、前記先に送信されるサブフレームは、前記ＵｐＰＴＳを含む前記サブフレームより前に受信される、
をさらに備える、Ｃ４５に記載の装置。
［Ｃ６８］  前記先に送信されるサブフレーム中での前記ＰＵＳＣＨの前記スケジューリングを前記受信するための手段は、
前記ＰＵＳＣＨのためのアップリンク許可を前記先に送信されるサブフレーム中で受信するための手段
を備える、Ｃ６７に記載の装置。
［Ｃ６９］  前記ＰＵＳＣＨのための前記アップリンク許可は、前記先に送信されるサブフレーム中で受信される唯一のアップリンク許可である、Ｃ６８に記載の装置。
［Ｃ７０］  少なくとも１つの追加のサブフレーム中でスケジューリングされる少なくとも１つの追加のＰＵＳＣＨのための少なくとも１つの追加のアップリンク許可を前記先に送信されるサブフレーム中で受信するための手段
をさらに備える、Ｃ６８に記載の装置。
［Ｃ７１］  前記ＰＵＳＣＨについての別個の物理ハイブリッド自動再送要求インジケータチャネル（ＰＨＩＣＨ）リソースまたは共有ＰＨＩＣＨリソースを識別するための手段、ここにおいて、前記共有ＰＨＩＣＨリソースは、前記少なくとも１つの追加のＰＵＳＣＨと共有される、
をさらに備える、Ｃ７０に記載の装置。
［Ｃ７２］  前記ＰＵＳＣＨのための前記アップリンク許可は、少なくとも１つの追加のサブフレーム中でスケジューリングされる少なくとも１つの追加のＰＵＳＣＨをスケジューリングする、Ｃ６８に記載の装置。
［Ｃ７３］  前記アップリンク許可は、物理ダウンリンク制御チャネル（ＰＤＣＣＨ）中で受信される、Ｃ６８に記載の装置。
［Ｃ７４］  前記ＰＵＳＣＨについての別個の物理ハイブリッド自動再送要求インジケータチャネル（ＰＨＩＣＨ）リソースを識別するための手段
をさらに備える、Ｃ６８に記載の装置。
［Ｃ７５］  前記ＰＵＳＣＨについての別個のハイブリッド自動再送要求（ＨＡＲＱ）処理の構成を受信するための手段
をさらに備える、Ｃ４５に記載の装置。
［Ｃ７６］  物理ダウンリンク制御チャネル（ＰＤＣＣＨ）、または拡張ＰＤＣＣＨ（ＥＰＤＣＣＨ）、または非同期アップリンクハイブリッド自動再送要求（ＨＡＲＱ）動作のうちの少なくとも１つにおける前記ＰＵＳＣＨの再送信のスケジューリングを受信するための手段  をさらに備える、Ｃ４５に記載の装置。
［Ｃ７７］  前記ＵｐＰＴＳ中での送信のためにスケジューリングされる前記ＰＵＳＣＨとアップリンクサブフレームのためにスケジューリングされる少なくとも１つの追加のＰＵＳＣＨとについての同じダウンリンク制御情報（ＤＣＩ）サイズスケジューリングを識別するための手段
をさらに備える、Ｃ４５に記載の装置。
［Ｃ７８］  複数のリソースブロック粒度に少なくとも部分的に基づく前記ＰＵＳＣＨのリソースの割り振りを受信するための手段
をさらに備える、Ｃ４５に記載の装置。
［Ｃ７９］  前記ＵｐＰＴＳ中に送信されるサウンディング基準信号（ＳＲＳ）のタイミングを識別するための手段
をさらに備える、Ｃ４５に記載の装置。
［Ｃ８０］  前記ＵｐＰＴＳ中に送信される物理アップリンク制御チャネル（ＰＵＣＣＨ）のタイミングを識別するための手段と、
前記ＰＵＣＣＨ中で送信されるチャネル状態情報（ＣＳＩ）、スケジューリング要求（ＳＲ）、またはそれらの組み合わせのうちの少なくとも１つを識別するための手段と
をさらに備える、Ｃ４５に記載の装置。
［Ｃ８１］  前記ＰＵＣＣＨ中にハイブリッド自動再送要求（ＨＡＲＱ）情報を送信することを控えるための手段
をさらに備える、Ｃ８０に記載の装置。
［Ｃ８２］  前記ＵｐＰＴＳの２つよりも多くのシンボル期間中で物理ランダムアクセスチャネル（ＰＲＡＣＨ）リソースのタイミングを識別するための手段
をさらに備える、Ｃ４５に記載の装置。
［Ｃ８３］  前記ＵｐＰＴＳ中での送信のためにスケジューリングされる前記ＰＵＳＣＨの少なくとも第１のリソースと、少なくとも１つの追加のサブフレームのためにスケジューリングされる少なくとも１つの追加のＰＵＳＣＨの少なくとも第２のリソースとのバンドリングを識別するための手段
をさらに備える、Ｃ４５に記載の装置。
［Ｃ８４］  前記第１のリソースは、前記第２のリソースの第２のリソース粒度とは異なる第１のリソース粒度を有する、Ｃ８３に記載の装置。
［Ｃ８５］  前記ＵｐＰＴＳは、アップリンクサブフレームより前に発生し、前記装置は、
非周期的チャネル品質情報（ＣＱＩ）、または非周期的サウンディング基準信号（ＳＲＳ）、またはそれらの組み合わせのうちの少なくとも１つの、前記ＵｐＰＴＳ中の送信に対する制限を識別するための手段、ここにおいて、前記制限は、前記アップリンクサブフレーム中の送信に少なくとも部分的に基づく、
をさらに備える、Ｃ４４に記載の装置。
［Ｃ８６］  前記サブフレームの送信電力をサブフレームレベルに、またはスロットレベルにスケーリングするための手段
をさらに備える、Ｃ４４に記載の装置。
［Ｃ８７］  ワイヤレス通信のための装置であって、
プロセッサと、
前記プロセッサと電子通信中のメモリと、
前記メモリ中に記憶された命令と
を備え、前記命令は、
第１のデバイスが、アップリンクパイロットタイムスロット（ＵｐＰＴＳ）に関連付けられたデータ構造と前記ＵｐＰＴＳに関連付けられた復調基準信号構造とを識別することと、ここにおいて、前記ＵｐＰＴＳは、サブフレームの一部分中に発生する、
前記データ構造と前記復調基準信号構造とに少なくとも部分的に基づいて第２のデバイスと通信することと
を行うように前記プロセッサによって実行可能である、装置。
［Ｃ８８］  ワイヤレス通信のためのコンピュータ実行可能コードを記憶する非一時的コンピュータ可読媒体であって、前記コードは、
第１のデバイスが、アップリンクパイロットタイムスロット（ＵｐＰＴＳ）に関連付けられたデータ構造と前記ＵｐＰＴＳに関連付けられた復調基準信号構造とを識別することと、ここにおいて、前記ＵｐＰＴＳは、サブフレームの一部分中に発生する、
前記データ構造と前記復調基準信号構造とに少なくとも部分的に基づいて第２のデバイスと通信することと
を行うようにプロセッサによって実行可能である、非一時的コンピュータ可読媒体。